(57)【要約】【課題】  建材や、公園、建物内等でのモニュメントなどとして使用可能な異形の部材や、安定してこのような部材が得られる手段を提供すること。【解決手段】  同一のねじり度でひねられた金属板が、長手方向で溶接され、多角柱側面を形成してなることを特徴とするねじり多角柱様部材および多角柱または多角錐を形成するために必要な枚数の金属板を用意し、これを同じ形状にひねった後、各片を溶接することを特徴とするねじり多角柱様部材の製造方法。【選択図】  図５
2009196156.tif 000002
【特許請求の範囲】
【請求項１】
同一のねじり度でひねられた金属板が、長手方向で溶接され、多角柱側面を形成してなることを特徴とするねじり多角柱様部材。
【請求項２】
金属板が長方形のものであり、形状がねじり多角柱である請求項第１項記載のねじり多角柱様部材。
【請求項３】
少なくとも長方形金属板の一方の先端部の一部が直線または曲線状に切り落とされており、その部分でエンド絞り加工がなされている請求項２記載のねじり多角柱様部材。
【請求項４】
金属板が三角形または台形状のものであり、形状がねじり多角錐である請求項第１項記載のねじり多角柱様部材。
【請求項５】
少なくとも三角形または台形上の金属板の幅の狭い先端部の一部が直線または曲線状に切り落とされており、その部分でエンド絞り加工がなされている請求項４記載のねじり多角柱様部材。
【発明の詳細な説明】
【技術分野】
【０００１】
本発明は、ねじり多角柱様部材およびその製造法に関する。
【背景技術】
【０００２】
従来より、四角柱などを途中でひねった形状の角柱が提供されている。しかしながら、このような角柱は、四角柱のパイプの上端と下端を機械的にひねって作ったものであり、角柱の一部でひねられてはいるが、変形しており、平均的に角柱をひねられた形状のものを作製することが難しく、しかも同一の形状のものを確実に得ることはできなかった。特に、四角柱以外の形状の多角柱など異形の部材は、提供されていないといって良い状態である。
【０００３】
しかしながら、建材や、公園、建物内等でのモニュメントなどとして使用可能な異形の部材の提供が求められており、このような部材や、安定してこのような部材が得られる手段の提供が求められていた。
【発明の開示】
【発明が解決しようとする課題】
【０００４】
本発明は、上記実情に鑑みなされたものであり、ねじり多角柱様部材と、これを簡単に、かつ安定的に製造する方法の提供をその課題とするものである。
【課題を解決するための手段】
【０００５】
本発明者は上記課題を解決すべく、鋭意検討を行っていたところ、角柱体の側面を形成する金属板を予め同じ形状にひねっておき、これを３枚以上組み合わせ、各片を溶接することにより、簡単に目的とする形状のねじり多角柱様部材が得られることを見出し、本発明を完成した。
【０００６】
すなわち本発明は、同一のねじり度でひねられた金属板が、長手方向で溶接され、多角柱側面を形成してなることを特徴とする多角柱様部材である。
【０００７】
また、本発明は、多角柱または多角錐を形成するために必要な枚数の金属板を用意し、これを同じ形状にひねった後、各片を溶接することを特徴とするねじり多角柱様部材の製造方法である。
【発明の効果】
【０００８】
本発明によれば、同一のねじり度で均一にひねられた金属製多角柱、特に四角柱以外の多角柱を得ることができる。また、単純な多角柱のみならず、多角錐をひねった形状のねじり多角柱様部材や、先端部が槍状あるいは球状など整形されたねじり多角柱様部材が得られる。
【０００９】
従って、本発明のねじり多角柱様部材は、建材や、公園、建物内のモニュメント等として広く利用できるものである。
【発明を実施するための最良の形態】
【００１０】
本明細書において、ねじり多角柱様部材とは、全体としてひねられた形状を有する多角柱ないし多角錐状の部材を意味し、本来の多角柱や多角錐の他、先端が槍状に尖ったり丸みを帯びた多角柱や多角錐をも含むものも含む。また、ねじり度とは、多角柱を構成する金属片（以下、「構成金属片」という）の上から見たときの上辺と下辺（短手辺）の角度の相違の程度を意味する。
【００１１】
本発明のねじり多角柱様部材は、多角柱形のパイプをねじるのでなく、先に、多角柱を構成する金属片を同一のねじり度でひねり、リボン状とした後、少なくともこれら金属片の側辺（長手片）を溶接することにより製造する。
【００１２】
多角柱を構成する金属片（以下、「構成金属片」という）は、ある程度変形可能な金属材料により構成される。具体的には、ステンレス、鋼材、銅材等の平板が用いられる。この金属平板を同一のねじり度でひねるには、１枚の構成金属片を他の構成金属片と同様な形状になるように個別にひねっても良いが、何枚かの構成金属片を重ね、上辺と下辺をひねれば、簡単に同じねじり度の構成金属片を得ることができる。例えば数枚の構成金属片の下辺を万力等で挟んで固定し、上辺のみゆっくり曲げてゆけば、同一のねじり度のリボン状をした構成金属片が得られる。そして、構成金属片の長さと、上辺と下辺のねじり度を選択することにより、強くひねられたねじり多角柱様部材も、また、弱くひねられたねじり多角柱様部材も作製することができるのである。
【００１３】
次に、本発明のねじり多角柱様部材の製造方法について、いくつかの実施態様を図面と共に説明する。
【００１４】
図１は、ねじり六角柱の製造に用いられる構成金属片の正面図であり、（ａ）はひねる前、（ｂ）はひねられた後の状態を示す。図中、１は構成金属片、２は短手上辺、３は短手下辺、４は長手辺を示す。図２は複数枚の構成金属片を重ねてひねった状態を示す図面（写真）である。
【００１５】
構成金属辺１は、図１に示すように、長方形の金属平板の短手上辺２と短手上辺３を所定角度（図１（ｂ）では１８０度）にひねって調製されたものである。この構成金属片１を用いて六角柱部材を調製するには、隣接する他の構成金属片と１２０度の角度を保つように、長手辺４で溶接することが必要である。３枚の構成金属片をスポット溶接で仮留めした状態を、図４（写真）に示す。長手辺４での溶接を６回繰り返すことにより、図５で示すような形状となり、ねじり六角柱５の原型が得られる。
【００１６】
そして更に、このねじり六角柱の長手辺の全てを溶接した後、ねじり六角柱の長手辺４の溶接線の部分を研磨することにより、均一にねじられたねじり六角形が得られる。図６がねじり六角柱の完成状態を示す斜視図である。
【００１７】
上記実施態様では、構成金属片として６枚の長方形のものを用い、ねじり六角柱が得られたが、構成金属片の数を選択することにより、種々の多角形が得られる。すなわち、構成金属片として４枚の長方形のものを用い、各構成金属片が９０度の角度を保つようにすれば、ねじり四角柱が、各構成辺として５枚の長方形のものを用い、それぞれが１４４度を保つように溶接すれば、ねじり五角柱がそれぞれ得られるのである。これは、他の多角柱、例えば三角柱や七〜十角柱などについても同様である。
【００１８】
また、構成金属片の幅を選択することにより、径の異なるねじり多角柱様部材を作製することができる。すなわち、構成金属片の幅を小さくすれば径の小さいねじり多角柱様部材が、逆に幅の大きな構成金属片を使用すれば、径の小さいねじり多角柱様部材を得ることができる。
【００１９】
本発明のねじり多角柱様部材は、上記した多角柱形のもののみならず、多角錐形のものを製造することも可能である。すなわち、図７に示すような三角形状の構成金属片１１を６枚用意し、これを図１ないし図３の場合と同様に短手上辺２と短手下辺３の間をひねった後、長手辺４を溶接することにより、図８に示すようなねじり六角錐７が得られる。
【００２０】
この場合、この三角形状の底角（θ）は、目的とする六角錐の傾きと関係する。すなわち、尖った形状の六角錐を得る場合は、底角を大きく（９０度に近く）すれば良く、逆の場合は、短手辺と切り取る線の角度を小さくすれば良い。
【００２１】
また、この多角錐として、三角錐〜十角錐等の多角錐状となしうることは、図１等で示した多角柱の場合と同一である。
【００２２】
更に、以上説明した多角柱および多角錐は、その端部をエンド絞り加工し、より好ましい形状のものとすることができる。
【００２３】
例えば、多角柱の端部をエンド絞り加工する場合は、図８において示すように、構成金属片１の端部から一定の長さ（ａ）の部分で、その先の部分を切断線８で斜めに切断する。そして、切断した部分から構成金属片１を内側に曲げ、曲げられた各辺も含め長手辺を溶接することにより、図９で示すような槍状の先端とすることができる。なお、構成金属片１の長方形の先端部分を適当な形状の曲線で切り取ることにより、球状の先端とすることも可能である。
【産業上の利用可能性】
【００２４】
で得られたねじり多角柱様部材は、途中部分でゆがんだ形状でなく、同一のねじり度で均一にひねられた金属製多角柱を得ることができる。また、その形状は、単純な多角柱のみならず、多角錐をひねった形状や、先端部が槍状あるいは球状など整形された形状とすることもできる。
【００２５】
従って、本発明のねじり多角柱様部材は、建材や、公園、建物内のモニュメント等として広く利用できるものである。
【図面の簡単な説明】
【００２６】
【図１】ねじり六角柱の構成金属片を示す平面図
【図２】３枚の構成金属片を重ねてひねった後の状態示す写真
【図３】３枚の構成金属片を、長手方向で仮溶接した状態を示す写真
【図４】ねじり六角錐の原型を示す写真
【図５】ねじり六角柱の完成状態を示す写真
【図６】ねじり六角錐の構成金属片を示す平面図
【図７】ねじり六角錐の完成状態を示す写真
【図８】多角柱の端部をエンド絞り加工する状況を示す図面
【図９】エンド絞り化工により得られた槍状の先端を示す図面
【符号の説明】
【００２７】
１  …  …  構成金属片
２  …  …  短手上辺
３  …  …  短手下辺
４  …  …  長手辺
５  …  …  ねじり六角柱
７  …  …  ねじり六角錐
８  …  …  切断線
【図１】
2009196156.tif 000003
【図６】
2009196156.tif 000004
【図８】
2009196156.tif 000005
【図９】
2009196156.tif 000006
【図２】
2009196156.tif 000007
【図３】
2009196156.tif 000008
【図４】
2009196156.tif 000009
【図５】
2009196156.tif 000010
【図７】
2009196156.tif 000011